(57)【要約】      （修正有）【課題】収容具が折り畳まれた状態を維持できるようにする。【解決手段】収容具１は、物品を収容可能な第１状態と折り畳まれた第２状態とを切り替え可能である。収容具１は、第１状態において物品を入れるための開口部が形成される本体部２と、第１状態において開口部を覆った状態で本体部２と結合される蓋部３と、を備える。本体部２は、第２状態において折れ曲がる複数の側面部材１１Ｌと、複数の側面部材と直交する方向の前面部材１０と、第２状態において、蓋部３の開口部側の面を、前面部材１０の開口部側と反対側の面に接する状態で固定させる固定部としての磁石及び磁石と、を有する。【選択図】図１
0003214230.tif 000002
【実用新案登録請求の範囲】
【請求項１】
物品を収容可能な第１状態と折り畳まれた第２状態とを切り替え可能な収容具であって、
前記第１状態において前記物品を入れるための開口部が形成される本体部と、
前記第１状態において前記開口部を覆った状態で前記本体部と結合される蓋部と、
を備え、
前記本体部は、
前記第２状態において折れ曲がる複数の側面部材と、
前記複数の側面部材と直交する方向の前面部材と、
前記第２状態において、前記蓋部の前記開口部側の面を、前記前面部材の前記開口部側と反対側の面に接する状態で固定させる固定部と、
を有することを特徴とする収容具。
【請求項２】
前記固定部が、前記前面部材の前記開口部側と反対側の面に設けられた磁石であり、
前記蓋部が、前記第２状態において前記固定部と接する位置に導電性部材を有することを特徴とする、
請求項１に記載の収容具。
【請求項３】
前記蓋部は、前記第２状態において前記固定部と接する位置に設けられた磁石を有することを特徴とする、
請求項２に記載の収容具。
【請求項４】
前記蓋部は、前記第２状態において前記固定部と接する位置を含む領域に設けられた金属板を有することを特徴とする、
請求項２又は３に記載の収容具。
【請求項５】
前記固定部が、前記前面部材における前記開口部側と反対側の面に設けられた面ファスナーであり、
前記蓋部は、前記第２状態において前記固定部と接する位置に設けられた面ファスナーを有することを特徴とする、
請求項１に記載の収容具。
【請求項６】
前記固定部が、前記第２状態において前記蓋部を前記前面部材の側に付勢する力を発生する弾性部材であることを特徴とする、
請求項１に記載の収容具。
【請求項７】
前記固定部が、前記蓋部の回転軸の周方向に弾性力を生じさせるばねであることを特徴とする、
請求項６に記載の収容具。
【考案の詳細な説明】
【技術分野】
【０００１】
本考案は、物品を収容可能な収容具に関する。
【背景技術】
【０００２】
従来、不在時に宅配便で配達された物品を収容するための収容具が知られている。特許文献１には、物品を収容可能な状態と、折り畳まれた状態とを切り替えることができる収容具が開示されている。
【先行技術文献】
【特許文献】
【０００３】
【特許文献１】特開２０１０−１３１３９号公報
【考案の概要】
【考案が解決しようとする課題】
【０００４】
従来の収容具においては、折り畳まれた状態で、蓋の部分が収容具本体の手前側に下向きに垂れ下がる状態になる。このような収容具は、傾斜して設置された場合、蓋が開いてしまい、折り畳まれた状態から収容可能な状態に戻ってしまうことがあるという問題があった。
【０００５】
そこで、本考案はこれらの点に鑑みてなされたものであり、折り畳まれた状態を維持することができる収容具を提供することを目的とする。
【課題を解決するための手段】
【０００６】
本考案の一実施形態としての収容具は、物品を収容可能な第１状態と折り畳まれた第２状態とを切り替え可能な収容具であって、前記第１状態において前記物品を入れるための開口部が形成される本体部と、前記第１状態において前記開口部を覆った状態で前記本体部と結合される蓋部と、を備える。前記本体部は、前記第２状態において折れ曲がる複数の側面部材と、前記複数の側面部材と直交する方向の前面部材と、前記第２状態において、前記蓋部の前記開口部側の面を、前記前面部材の前記開口部側と反対側の面に接する状態で固定させる固定部と、を有する。
【０００７】
前記固定部が、前記前面部材の前記開口部側と反対側の面に設けられた磁石であり、前記蓋部が、前記第２状態において前記固定部と接する位置に導電性部材を有してもよい。
【０００８】
前記蓋部は、前記第２状態において前記固定部と接する位置に設けられた磁石を有してもよい。前記蓋部は、前記第２状態において前記固定部と接する位置を含む領域に設けられた金属板を有してもよい。
【０００９】
また、前記固定部が、前記前面部材における前記開口部側と反対側の面に設けられた面ファスナーであり、前記蓋部は、前記第２状態において前記固定部と接する位置に設けられた面ファスナーを有してもよい。
【００１０】
また、前記固定部が、前記第２状態において前記蓋部を前記前面部材の側に付勢する力を発生する弾性部材であってもよい。この場合、前記固定部は、例えば、前記蓋部の回転軸の周方向に弾性力を生じさせるばねである。
【考案の効果】
【００１１】
本考案によれば、収容具が折り畳まれた状態を維持することができるという効果を奏する。
【図面の簡単な説明】
【００１２】
【図１】物品を収容できる第１状態の収容具の斜視図である。
【図２】折り畳まれた第２状態の収容具の斜視図である。
【図３】折り畳む途中の状態の収容具の斜視図である。
【図４】折り畳む途中の状態の収容具の斜視図である。
【図５】収容具の内部の構成を示す透視図である。
【考案を実施するための形態】
【００１３】
［収容具１の概要］
本実施の形態に係る収容具１は、宅配便等で配達される物品を収容するために使用されることが想定されている。図１は、物品を収容できる第１状態の収容具１の斜視図である。図２は、折り畳まれた第２状態の収容具１の斜視図である。図３及び図４は、折り畳む途中の状態の収容具１の斜視図である。図５は、収容具１の内部の構成を示す透視図である。
【００１４】
収容具１は、本体部２と、蓋部３と、結合部４と、取付部５とを有する。本体部２は、物品を収容する空間を形成する部位であり、物体を収容できる第１状態において、直方体形状をしている。本体部２を構成する部材の材質は任意であるが、本体部２の各面の表面は、例えば柔軟性がある樹脂製シートにより形成されており、外側の樹脂製シートと内側の樹脂製シートとの間に板状部材が設けられている。
【００１５】
本体部２は、前面部材１０、側面部材１１Ｌ、側面部材１１Ｒ、背面部材１２及び底面部材１３を有する。前面部材１０は、第１状態において、側面部材１１Ｌ及び側面部材１１Ｒと直交する。背面部材１２は前面部材１０の反対側の面である。底面部材１３は、前面部材１０、側面部材１１Ｌ、側面部材１１Ｒ、及び背面部材１２と直交する面である。図３及び図４に示すように、蓋部３を本体部２から離した状態で、底面部材１３の反対側には、物品を入れるための開口部１４が形成された状態になる。
【００１６】
蓋部３は、第１状態において開口部１４を覆った状態で、結合部４によって本体部２と結合される。結合部４は、例えばファスナーである。ユーザは、スライドファスナーのスライダー部分に鍵を装着することにより、収容具１に収容した物品を他者が取り出せないようにすることができる。なお、結合部４は、本体部２と蓋部３とを結合する機能を有していればスライドファスナー以外の任意の物でよい。例えば、結合部４として面ファスナー又はホックを使用することができる。
【００１７】
取付部５は、収容具１を家の構造物に取り付けるために用いられる紐状の部材である。取付部５は、例えば、先端同士を結合可能な２本のベルトから構成されており、ユーザは、家の柵やドアの取っ手等に取付部５を通して２本のベルトを結合させることで、収容具１を他者が持ち運べないようにすることができる。
【００１８】
［折り畳み構造］
図３及び図４に示すように、側面部材１１Ｌ及び側面部材１１Ｒは折り曲げ可能に構成されている。具体的には、側面部材１１Ｌ及び側面部材１１Ｒは、奥行き方向（図３におけるＹ方向）における中間位置において、内側に折り曲げることができるように構成されている。側面部材１１Ｌ及び側面部材１１Ｒは、例えば、奥行き方向における中間位置の手前側、及び中間位置の奥側のそれぞれに板状部材が設けられており、中間位置の付近には板状部材が設けられていない。側面部材１１Ｌ及び側面部材１１Ｒがこのような構造を有することで、ユーザは、容易に側面部材１１Ｌ及び側面部材１１Ｒの中央位置において側面部材１１Ｌ及び側面部材１１Ｒを折り曲げることができる。
【００１９】
また、図５に示すように、底面部材１３は、樹脂製シート１３１と、樹脂製シートの上側に設けられた板状部材１３２とを有する。樹脂製シート１３１は、前面部材１０、側面部材１１Ｌ、側面部材１１Ｒ及び背面部材１２と結合している。板状部材１３２は、奥側の辺が背面部材１２と結合しているが、他の辺は前面部材１０、側面部材１１Ｌ及び側面部材１１Ｒと結合していない。したがって、ユーザは、板状部材１３２を上に持ち上げて板状部材１３２が背面部材１２と接するようにすることで、本体部２を折り曲げて図２に示す第２状態に変化させることができる。
【００２０】
［蓋部３の固定構造］
側面部材１１Ｌ及び側面部材１１Ｒを構成する樹脂製シートは、折り曲げられた状態よりも折り曲げられていない状態の方が安定した状態であるため、折り曲げられた状態において、広がろうとする力が発生する。特に、本体部２は、手前に傾斜するように設置された場合に広がりやすくなる。図２に示す第２状態にされた本体部２が広がってしまうことを防ぐために、前面部材１０における開口部１４の側と反対側の面には、磁石１０１及び磁石１０２が設けられている。磁石１０１及び磁石１０２は、第２状態において、蓋部３の開口部１４の側の面を、前面部材１０の開口部１４の側と反対側の面に接する状態で固定させる固定部である。磁石１０１及び磁石１０２は、中央付近に凸部又は凹部を有していてもよい。
【００２１】
また、蓋部３は、第２状態において磁石１０１及び磁石１０２と接する位置に導電性部材を有する。蓋部３は、例えば図４に示すように、第２状態において磁石１０１及び磁石１０２と接する位置に設けられた磁石３１及び磁石３２を有する。磁石３１及び磁石３２は、中央付近に、磁石１０１及び磁石１０２に形成された凸部と係合する凹部、又は磁石１０１及び磁石１０２に形成された凹部と係合する凸部を有してもよい。このように、磁石１０１及び磁石１０２、並びに磁石３１及び磁石３２が、互いに係合する凸部又は凹部を有することで、蓋部３がさらにはずれにくくなる。
【００２２】
なお、蓋部３は、磁石３１及び磁石３２の代わりに、磁性を有しない導電性部材を有してもよい。例えば、蓋部３は、第２状態において磁石１０１及び磁石１０２と接する位置を含む領域に設けられた金属板を内部に有してもよい。
【００２３】
また、前面部材１０に磁石１０１及び磁石１０２が設けられている代わりに、蓋部３に設けられた磁石３１及び磁石３２と結合可能な導電性部材が設けられていてもよい。
【００２４】
［変形例１］
上記の説明においては、前面部材１０が、固定部として磁石１０１及び磁石１０２を有する例を示したが、前面部材１０は、固定部として、磁石１０１及び磁石１０２の代わりに、前面部材１０における開口部１４の側と反対側の面に設けられた面ファスナーを有してもよい。この場合、蓋部３は、第２状態において前面部材１０に設けられた面ファスナーと接する位置に設けられた面ファスナーを有する。ユーザは、前面部材１０に設けられた面ファスナーと蓋部３に設けられた面ファスナーとを結合させることで、図２に示した第２状態を維持させることができる。
【００２５】
［変形例２］
蓋部３が前面部材１０における開口部１４の側と反対側の面に押し付けられた状態にするために、前面部材１０は、磁石１０１及び磁石１０２の代わりに、固定部として、第２状態において蓋部３を前面部材１０の側に付勢する力を発生する弾性部材を有してもよい。弾性部材は、例えば、蓋部３の回転軸の周方向に弾性力を生じさせるねじりコイルばねである。図３及び図４に示す例において、蓋部３の回転軸は、背面部材１２の上側の辺１５であり、蓋部３が閉じる向きに弾性力を発生するねじりコイルばねを辺１５上に設けることで、図２に示す第２状態を維持できるようになる。
【００２６】
［収容具１による効果］
以上説明したように、収容具１は、折り曲げられた第２状態において、蓋部３の開口部１４の側の面を、前面部材１０の開口部１４側と反対側の面に接する状態で固定させる固定部を有する。収容具１がこのような構造を有することにより、収容具１が柵等に吊り下げられた場合であっても、収容具１が折り曲げられた状態を維持することが可能になる。
【００２７】
以上、本考案を実施の形態を用いて説明したが、本考案の技術的範囲は上記実施の形態に記載の範囲には限定されず、その要旨の範囲内で種々の変形及び変更が可能である。また、複数の実施の形態の任意の組み合わせによって生じる新たな実施の形態も、本考案の実施の形態に含まれる。組み合わせによって生じる新たな実施の形態の効果は、もとの実施の形態の効果を合わせ持つ。
【符号の説明】
【００２８】
１  収容具
２  本体部
３  蓋部
４  結合部
５  取付部
１０  前面部材
１１Ｌ  側面部材
１１Ｒ  側面部材
１２  背面部材
１３  底面部材
１４  開口部
１５  辺
３１  磁石
３２  磁石
１０１  磁石
１０２  磁石
１３１  樹脂製シート
１３２  板状部材
【図１】
0003214230.tif 000003
【図２】
0003214230.tif 000004
【図３】
0003214230.tif 000005
【図４】
0003214230.tif 000006
【図５】
0003214230.tif 000007